(57)【特許請求の範囲】
【請求項１】
電動送風機及び集塵室を備えた掃除機本体と、該掃除機本体に開と自在に設けられ、前記集塵室の開口を覆う蓋体と、前記集塵室に装着される集塵袋と、一端が該掃除機本体に接続されたホースと、一端が該ホースの他端に接続された接続管と、該接続管の他端に接続された吸口体とを備えた電気掃除機において、
前記集塵室内には前記集塵室の開口方向に向かって移動する移動部材を設け、
前記移動部材は前記集塵室内に装着され集塵袋の袋部材と接触すると共に、前記集塵袋を集塵室の開口から取り出す際に前記集塵袋と共に移動し、
前記移動部材を内設する前記集塵室は、前記蓋体との気密をとる弾性体等によって構成される気密部材の内壁と前記集塵室の内壁が面一であることを特徴とする電気掃除機。
【請求項２】
請求項１において、前記移動部材は前記集塵室の下流側に位置していることを特徴とする電気掃除機。
【請求項３】
請求項１又は２において、前記移動部材は、前記集塵室の開口側と対向する位置に配設したことを特徴とする電気掃除機。
【請求項４】
請求項１から３の何れかにおいて、前記移動部材は、駆動手段によって振動することを特徴とする電気掃除機。
【請求項５】
請求項１から４の何れかにおいて、前記移動部材は、通気性を有することを特徴とする電気掃除機。
【請求項６】
請求項１から５の何れかにおいて、前記移動部材は着脱自在であることを特徴とする電気掃除機。
【請求項７】
請求項１から６の何れかにおいて、前記移動部材の材質は、移動に対して抵抗の少ない又は潤滑剤等が添加されていることを特徴とする電気掃除機。
【発明の詳細な説明】
【技術分野】
【０００１】
本発明は集塵袋を容易に取り出せる電気掃除機に関するものである。
【背景技術】
【０００２】
従来の電気掃除機は例えば特許文献１（特公平２−１４８４２号公報）に記載されているように、集塵室内にフィルタ引き出し案内リブを設け、集塵袋を集塵室から取り出す際、このフィルタ引き出し案内リブに沿って集塵袋を引き出すようにしていた。
【０００３】
また、他の電気掃除機として例えば特許文献２（特開平２−２０９１２０号公報）に開示されているものがある。この特許文献２では、掃除機本体の集塵室の底面に集塵袋を支持する板体を設け、この板体にリンクの一端を取り付け、リンクの他端を蓋に取り付けるように構成している。そして、蓋を開くことによってリンクに連結された板体が上方に移動し、蓋の開放動作と共に集塵袋を上方に押し上げるようにしている。
【０００４】
【特許文献１】特開平２−２０９１２０号公報
【発明の開示】
【発明が解決しようとする課題】
【０００５】
近年の電気掃除機は吸引力が増加し、集塵袋が塵埃で満杯近くになるまで集塵袋を使用することができるようになってきた。このため、集塵袋は集塵室の内壁面に張り付いてしまう。上記特許文献１では集塵室内にフィルタ引き出し案内リブを設けているが、塵埃で満杯になった集塵袋は集塵室の内壁面に張り付いてしまうので、集塵室から集塵袋を容易に引き出すことができなかった。
【０００６】
また、特許文献２においては集塵袋を上方に押し上げるためのリンクを設けているので、構造が複雑であった。さらに蓋を開いて集塵袋内に溜まった塵埃の量を確認し、確認後蓋を閉じるようとした場合、蓋を開いた際に上昇した集塵袋が再び集塵室内へと戻るので、集塵袋を集塵室内に戻す際集塵袋内に溜まった塵埃が飛散するという課題があった。
【０００７】
本発明の目的は、上記課題を解決するために成されたものであり、簡単な構成で、集塵室から集塵袋を容易に引き出すことが出来る電気掃除機を提供することにある。
【課題を解決するための手段】
【０００８】
上記目的を達成するために本発明の特徴とするところは、電動送風機及び集塵室を備えた掃除機本体と、該掃除機本体に開と自在に設けられ、前記集塵室の開口を覆う蓋体と、前記集塵室に装着される集塵袋と、一端が該掃除機本体に接続されたホースと、一端が該ホースの他端に接続された接続管と、該接続管の他端に接続された吸口体とを備えた電気掃除機において、前記集塵室内には前記集塵室の開口方向に向かって移動する移動部材を設け、前記移動部材は前記集塵室内に装着され集塵袋の袋部材と接触すると共に、前記集塵袋を集塵室の開口から取り出す際に前記集塵袋と共に移動し、前記移動部材を内設する前記集塵室は、前記蓋体との気密をとる弾性体等によって構成される気密部材の内壁と前記集塵室の内壁が面一であるように構成したことにある。
【発明の効果】
【０００９】
本発明によれば、簡単な構成で、集塵室から集塵袋を容易に引き出すことが出来る電気掃除機を提供することができる。
【発明を実施するための最良の形態】
【００１０】
本発明の第１の実施例について、図１から図３を引用して説明する。
【００１１】
図１は本発明の一実施例に係る蓋体５が開かれた状態における掃除機本体１の外観斜視図である。図２は本発明の一実施例に係る電気掃除機全体を示す外観斜視図である。図３は本発明の一実施例に係る掃除機本体の中央断面図である。
【００１２】
図１及び図２に実施例を示すように電気掃除機の掃除機本体１は、後部側に走行用の車輪２を有する。掃除機本体１の前側下部には、走行用のキャスター５２が備わる。
【００１３】
掃除機本体１の内部には、集塵室３と電動送風機８とが設けられる。この集塵室３には、紙，布，不織布を含む集塵袋（紙パック）７が取り外し自在に内置される。
【００１４】
集塵室３とホース差込口４は掃除機本体１の前側に設けられ、ホース差込口気密部材１６０を介して、集塵室３に連通する。
【００１５】
集塵室３の上面には、集塵袋７（紙パック）が出し入れされる開口部を上方に有し、この開口部を開閉自在に覆う蓋体５が備わる。蓋体５は掃除機本体１に回動自在に支持され、集塵室３と蓋体５の気密を保持するように気密部材１０が取り付けられている。
【００１６】
ホース差込口４にはホース体４００の一端が接続され、また他端には手元操作部４５０を介して接続管５００の一端が接続されている。接続管５００の他端には、吸口体６００が接続される。各部品間は連通に接続され、吸口体６００から吸込んだ床面のごみを集塵袋７に捕集することができる。
【００１７】
図３に示すように、掃除機本体１の集塵室３には、集塵袋（紙パック）７が内置される。この集塵袋（紙パック）７は、使い捨ての紙，不織布ないし再利用可能な布集塵袋を含む。
【００１８】
掃除機本体１は、集塵室３の後側に後部室を有する。この後部室は、電動送風機８、コードリール９を内置する。
【００１９】
電動送風機８は、送風部（ファン）と電動機を有する。送風部が前側、電動機が後側になるように置かれる。コードリール９は、電動送風機８の隣に並ぶように置かれる。電動送風機８には、コードリール９を介して電力が供給される。
【００２０】
次に図１，図３，図４および図５により移動部材に関して説明する。
【００２１】
図４は集塵室３内から電動送風機８側に向かって見た移動部材の部分断面図である。図５は集塵室３の形成されたリブの斜視図である。
【００２２】
集塵室３にはリブ３１０が設けられ、リブ３１０には係合穴３００が少なくとも１つ以上あけられており、係合穴３００と移動ベース部材２０１の係合突起２０３が集塵室３に設けられた左右のリブ３１０に挟まれるように、可動可能に係合されている。更に、移動ベース部材２０１には移動部材２００と移動自在に係合する係合穴２０６が両側に少なくとも１つ以上構成されており、係合穴２０６の内側には移動部材２００が配設され、移動部材２００の外郭部に係合突起２０４が移動ベース部材２０１の係合穴の数と同等若しくは同等数以下で配設され、移動ベース部材２０１の係合穴２０６と移動部材２００の係合突起２０４が移動自在かつ着脱自在に係合されている。
【００２３】
以上のように構成された電気掃除機において図３〜図１０を用いて、その動作を説明する。
【００２４】
図３のように集塵袋７を本体１にセットした状態で、電気掃除機本体を運転して塵埃を集塵袋７に捕集し、集塵袋７に塵埃が溜まった状態で集塵室３から集塵袋７を取り出す際の動作として、集塵袋７に接着された紙等の素材で形成された口板７ａをクランプ７５のロックを解除することによって、リクライニング式の口板ガイド７３（以下口板ガイドと呼ぶ）が電動送風機８側に傾斜し、口板７ａを口板ガイド７３に沿って集塵室３の開口方向に引き出される。
【００２５】
この操作の際に、集塵袋７と当接する移動部材２００は、図６〜図９に示すように集塵袋７を引き出す動作と同時に、集塵袋７と共に集塵室３の開口方向に向かって移動するために、集塵袋７と集塵室３の内壁との摩擦抵抗が軽減されて、塵埃が一杯になった状態でも使用者に多大な負荷をかけることなく、簡単に集塵袋７を取り出して捨てることができる。
【００２６】
更に、塵埃が溜まれば溜まるほど、移動部材２００に集塵袋７が強く接触する若しくは接触面積が増えるに従って移動部材２００の移動効果を高くすることができる。また、図９のように移動部材２００は集塵室３の開口方向に移動するが、移動ベース部材２０１は集塵室３のリブ３１０と回転自在に軸支されているため、集塵袋７が塵埃でいっぱいになった際、移動部材２００の移動による効果を得ると同時に、移動部材２００の集塵袋７から受ける荷重が移動ベース部材２０１の係合突起部２０３より開口側に位置するとき、移動ベース部材２０１も集塵室３の開口方向に開く（取り出す方向に傾斜する）ことによって、使用者の使い勝手の向上と取り出し時の負荷を大幅に軽減することができる。
【００２７】
更に、集塵容量向上（集塵室３での移動部材２００のスリム化）、構成部品の簡略化を図るために、図１０のように移動部材２００を単独で集塵室３のリブ３１０と係合穴３００に係合して配設することにより、集塵袋７の取り出し時の負荷低減を図ることができる。
【００２８】
次に本発明における第２の実施の形態を図３，図４を用いて説明する。
【００２９】
移動部材２００は電動送風機８の上流側に位置し、電動送風機８を配置する電動送風機室８００と集塵室３との連通穴８０１を構成し、この連通穴８０１の左右少なくとも１箇所ずつにリブ３１０を設け、リブ３１０には係合穴３００が少なくとも１つ以上あけられており、係合穴３００と移動ベース部材２０１の係合突起２０３が集塵室３に設けられた左右のリブ３１０に挟まれるように、可動可能に係合されている。更に、移動ベース部材２０１には移動部材２００と移動自在に係合する係合穴２０６が両側に少なくとも１つ以上構成されており、係合穴２０６の内側には移動部材２００が配設され、移動部材２００の外郭部に係合突起２０４が移動ベース部材２０１の係合穴の数と同等若しくは同等数以下で配設され、移動ベース部材２０１の係合穴２０６と移動部材２００の係合突起２０４が移動自在かつ着脱自在に係合されている。この構成によって、集塵袋７でもっとも塵埃の堆積が集中しやすい、若しくは集積がはじまる位置である集塵室３内の電動送風機室８００の連通穴８０１部に移動部材２００を設けることによって、より効果的に移動部材２００を作用させることによって、使用者の負荷を軽減することができる。
【００３０】
次に本発明における第３の実施の形態を図４，図１１〜図１３を用いて説明する。
【００３１】
集塵室３内の開口側と対向する位置に、図１１のように移動部材２００を配置することによって、移動部材２００が集塵袋７を取り出した際に移動するのと同時に、移動部材２００と一体（図１２（ａ））若しくは別体で構成された底部移動部材２０２も同時若しくは時間差で開口側に向かって移動する。別体である場合、図１２（ｂ）のように底部移動部材２０２は移動部材２００の下部係合穴２０７と底部移動部材２０２係合突起２０５と回転自在に嵌合して構成される。集塵袋７を取り出す際に、開口側（引き出し方向）と対向する側から押すも若しくは持ち上げることによって開口側から集塵袋７の取り出す力の軽減を更に図るのと同時に、砂塵等の密度の高い塵埃を多く含んだ集塵袋７でも、集塵袋７形状維持がゆがみ、偏った塵埃の溜まり方をした場合を含めていかなる種類の塵埃が含まれた集塵袋７でも確実に開口方向に取りだすことができる。
【００３２】
また、移動部材２００を取り外す際には、別体で構成された底部移動部材２０２は図１３のように回動軸を基準として折り畳んで置いておくことができる。
【００３３】
更に、集塵室３へセットする際に、折り畳んだままセットすることができるため集塵室３内の移動ベース部材２０１若しくはリブ３１０の係合穴３００へのセットもし易くなる。
【００３４】
次に本発明における第４の実施の形態を図１４〜図３９を用いて説明する。
【００３５】
移動ベース部材２０１を介して又は単独で移動部材２００が集塵室３内のリブ３１０の係合穴３００と係合突起２０３が回転自在に軸支されている。電気掃除機本体を運転して塵埃を吸引した際に集塵袋７でもっとも塵埃の堆積が集中しやすい、若しくは集積がはじまる位置である集塵室３内の電動送風機室８００との連通口８０１の上流側に位置する移動部材２００が電気掃除機本体の運転前後でそれ自体若しくは別の駆動手段で振動し、集塵袋７の内側に付着した塵埃に振動を加えて振るい落とすことによって、吸込力の持続を図ることができる。それによって集塵袋７（使い捨て式袋状フィルタ）に効率良く多くの塵埃を捕集することができる。
【００３６】
次に集塵袋に振動を与える駆動手段の一例に関して説明する。集塵室３の上面には、集塵袋７（紙パック）が出し入れされる開口部を上方に有し、この開口部を開閉自在に覆う蓋体５が備わる。蓋体５は掃除機本体１に回動自在に支持され、この開閉自在な前記蓋体５には上部横置除塵体６が保持される。該上部横置除塵体６の支軸８１が蓋体５の８２に回動自在に取り付けられる。同様に前記上部横置除塵体６に連動して作動するように、上部横置除塵体補助部８３の支持軸８９が集塵蓋５の支持受部８５に回動自在に取り付けられる。
【００３７】
集塵袋７の除塵は、除塵手段で行われる。除塵手段は、図１５に示すように移動部材２００とコードリール９に駆動され、かつ前記移動部材２００に振動動作を起こさせる除塵回転体１２と動力分岐機構２５を有する。
【００３８】
移動部材２００は集塵室３に備えられ、集塵室３に置かれる集塵袋７は、移動部材２００で、振動させられて内部に付着する塵埃が振るい落とされる。
【００３９】
除塵駆動伝達ユニット１１（図１６）は、掃除機本体１の内底部に備えられる。除塵駆動伝達ユニット１１は、除塵回転体１２と、伝達歯車１３を有する。図１５に示すように、この伝達歯車１３は、コードリール９の駆動歯車１４に噛み合う。
【００４０】
動力分岐機構２５は集塵室３内部に備わり、前記除塵回転体１２の回転力を利用し前記上部横置除塵体６へと動力を伝え、前記上部横置除塵体補助部８３が連動する。この動力分岐機構２５の詳細については後述する。
【００４１】
コードリール９の回転で、駆動歯車１４，伝達歯車１３を介して除塵駆動伝達ユニット１１の除塵回転体１２に回転が伝わる。除塵回転体１２の回転により、移動部材２００は振動させられ、集塵袋７内の除塵が行われる。
【００４２】
除塵部材について、図１５，図１７〜図２０を引用して更に詳しく述べる。
【００４３】
移動部材２００は、移動ベース部材２０１と、底部移動部材２０２と、上部横置除塵体６と、上部横置除塵体補助部８３を有する。移動ベース部材２０１の下端と、底部移動部材２０２の後端は支軸１７により回動自在に結合されている。移動ベース部材２０１と底部移動部材２０２は、折り畳まれた０度（図２０ｂに示す状態に近い）から開かれた約９０（図２０ａに示す状態）の範囲で回動する。
【００４４】
移動ベース部材２０１は、下端にストッパー１８を有する。底部移動部材２０２が９０度まで開いたところで、底部移動部材２０２はストッパー１８で抑えられ、それ以上は開かない。
【００４５】
なお、最大開き角度は、底部移動部材２０２が集塵室３の内底部に接触しなければ、９０度以下でも９０度以上でもよい。移動ベース部材２０１は、上側両端に支持軸突起２０３が設けられる除塵枠体部２０を有する。
【００４６】
掃除機本体１は、図３，図２１に示すように、集塵室３と後部室を仕切る中間仕切壁２１を有する。この中間仕切壁２１は、集塵室３側に縦に走る二つのリブ３１０が間隔を隔て設けられ、リブ３１０は、図２１に示すように、上側に支持孔２３を有し、前記中間仕切壁２１には動力分岐機構２５を取り付けるための係止溝４４を有する。
【００４７】
リブ３１０の支持孔２３に移動ベース部材２０１の支持軸突起２０３は回動自在に嵌る。これにより、前記移動ベース部材２０１と前記底部移動部材２０２は、集塵室３に揺振自在に置かれる。
【００４８】
リブ３１０は、図２２ａに示すように、対向面（内側面）に支持孔２３の上側からリブ３１０に向けて形成された傾斜溝２４ａを有する。この傾斜溝２４ａは、上側に向かって外向きに傾く。支持軸突起２０３ａも端側が傾斜面を有する。このため、支持軸突起２０３ａを傾斜溝２４ａに沿って上から下に滑らせることにより、支持軸突起２０３ａは支持孔２３に容易に嵌る。前記移動ベース部材２０１，前記底部移動部材２０２との取り付けが容易に行われる。
【００４９】
また、リブ３１０は場合によって、図２２ｂに示すように、対向面（内側面）の少なくとも１つが支持孔２３の前側（ホース差込口４側）からリブ３１０に向けて形成された傾斜溝２４ｂを有する。この傾斜溝２４ｂは、前側に向かって外向きに傾く。この際、支持軸突起２０３は支持軸突起２０３ｂの形状にすることで前側から中間仕切壁２１に垂直に向かって傾斜溝２４ｂ上を滑らせることで、支持突起２０３ｂは支持孔２３に容易に嵌る。
【００５０】
次に動力分岐機構２５について説明する。動力分岐機構２５は集塵室内にあり、前記移動ベース部材２０１と、前記中間仕切壁２１の間に配置され、該中間仕切壁２１に設けた係止溝４４に取り付けられる。
【００５１】
前記動力分岐機構２５は、前記除塵駆動伝達ユニット１１の除塵回転体１２の突起２７と、動力分岐機構２５のカムクランク突起２８とが係合し、除塵回転体１２の回転運動に連動して係合部がこの場合は下へと引かれ該動力分岐機構２５の付勢バネ２９にて元に戻されることで往復運動を行い、該動力分岐機構２５のカムクランク３０によって、除塵回転体１２の回転運動の駆動力をこの場合は上方向へ変換し上部横置除塵体６へ動力を伝達し、上部横置除塵体補助部８３まで動力が伝達される。
【００５２】
除塵回転体１２は、外周に巻装される除塵バネ３１を有する。除塵バネ３１は、除塵回転体１２の長手方向に沿って螺旋状に巻かれ、図２３ａからｄに示すように長手方向の断面は略円形若しくは、略長円若しくは、多角形ないし外周に突き出る複数の凹凸形状を有する。移動部材２００の移動ベース部材２０１に備える付勢バネ２６は、移動ベース部材２０１を中間仕切壁２１方向へ押し付ける。
【００５３】
上部横置除塵体及び上部横置除塵体補助部について説明する。前記除塵駆動伝達ユニット１１の前記除塵回転体１２から前記動力分岐機構２５のカムクランク３０を介して前記上部横置除塵体６の端部８７ｂが上方向の荷重を受けて前記上部横置除塵体補助部８３が略上下方向に作動する。
【００５４】
前記横置除塵体６は略上下方向に作動した際に、前記上部横置除塵体６の荷重側以外の端部（上部横置除塵体伝達軸）８６を有し、前記上部横置除塵体６の作動を前記上部横置除塵体補助部８３へ伝達される。
【００５５】
前記上部横置除塵体伝達軸８６の作動は、前記上部横置除塵体補助部８３の作動受部８８から作動を伝達し、前記上部横置除塵体補助部８３を略上下方向に作動させる。
【００５６】
前記上部横置除塵体補助部の作動受部８８は前記上部横置除塵体補助部の支持軸８９ａに対して前記上部横置除塵体６側に配置する。
【００５７】
これによって、前記上部横置除塵体６が前記動力分岐機構２５から上方向への作動を受け、前記上部横置除塵体６の前端８７ａが押し下げられ、集塵袋７の上面を瞬時に叩くと同時に、連動している前記上部横置除塵体補助部８３は図２４ｂのように支持軸８９ａを基準に全体を上方向に持ち上げ、集塵袋７への加振に対してためを持たせる。
【００５８】
次にバネ９０ａ，９０ｂ等による付勢により、前記上部横置除塵部６が元の位置にもどる際に、前記支持軸８９ａを基準に全体を上方向に持ち上げていた前記上部横置除塵体補助部８３が、図２４ａのように自重と前記上部横置除塵体伝達軸８６から、前記作動受部８８が動力を受けることによって、集塵袋７の上面を叩くことが出来る。
【００５９】
この一連の動作によって、前記動力分岐機構２５からの１回の動力伝達によって、集塵袋７の上面を交互に最低２回及び２ヶ所以上について加振して除塵をすることが可能となる。
【００６０】
また、場合によっては前記上部横置除塵体補助部８３の作動受部８８を支持軸８９ｂに対して、前記上部横置除塵体６から離れた側に配置することによって、前記動力分岐機構２５からの１回の動力伝達によって、集塵袋７の上面の１ヶ所またはそれ以上の箇所を同時に加振することができる。
【００６１】
集塵袋７は、図３に示すように、後側が移動部材２００の移動ベース部材２０１に、下側が底部移動部材２０２に、上側が上部横置除塵体６及び上部横置除塵体補助部８３に当接する。除塵回転体１２が回転することにより、移動ベース部材２０１と回動自在に結合されている底部移動部材２０２は、付勢バネ２６に抗して、前記移動ベース部材２０１は前後方向に、又底部移動部材２０２は前記移動ベース部材２０１と連動し、前後に振動すると共に略上下にも振動する。また、前記動力分岐機構２５は除塵回転体１２の突起部２７からの動力を伝達しカムクランク３０を介して上部横置除塵体６及び上部横置除塵体補助部８３を略上下に振動させる。
【００６２】
集塵袋７の後側は、移動ベース部材２０１により前後に揺すられ、下側は底部移動部材２０２で前後に擦られるとともに上下に多少振られ、上側は上部横置除塵体６及び上部横置除塵体補助部８３にて上下に振られる。この振動により、集塵袋７内に付着する塵埃が除塵され、集塵袋７の通気性が回復し、更なる吸塵ができる。特に、集塵性能への影響が大きい上側は、上部横置除塵体及び上部横置除塵体補助部によって大きな効果が得られる。これを繰り返すことにより、集塵袋７内が一杯になるまで吸塵できる。
【００６３】
図２４，図２６を引用して付勢バネ２６の取り付け方法について説明する。
【００６４】
移動ベース部材２０１の除塵枠体部２０は、一方の側面上部にバネ収容部３６を有する。バネ収容部３６は、除塵枠体部２０の外側面と、前側壁３７と、内側壁３８で形成される。バネ収容部３６の後側は壁部がなく、開放になっている。前述した一方の支持軸突起２０３は、外側壁３８の外側に設けられている。
【００６５】
バネ収容部３６内には、除塵枠体部２０の外側面に付勢バネ２６の中心を支持するバネ支持軸突起３９と、付勢バネ２６の左右のガタ及び倒れを防止するための補強リブ４０を有する。
【００６６】
付勢バネ２６は、図２７に示すように、バネ収容部３６内に収納され、付勢バネ端部４１を中間仕切壁２１に押圧する。これにより、移動ベース部材２０１は付勢バネ２６の力で支持軸突起２０３を支点としてＰ矢印方向の回転力が付与される。
【００６７】
前述したように、付勢バネ２６は、除塵回転体１２の回転で移動ベース部材２０１を押す力に抗するように作用する。除塵回転体１２の回転による押力と付勢バネ２６の抗する力により、移動部材２００は除塵振動動作をする。
【００６８】
付勢バネ２６は、バネ収容部３６内に挿入し、付勢バネ２６の中心をバネ支持軸突起３９に挿入することで簡単に組み込むことができる。また、除塵枠体部２０は支持軸突起１９をリブ３１０の支持孔２３に嵌め込むことにより、付勢バネ端部４１を中間仕切壁２１に押圧して付勢バネ２６として機能するようになるので、除塵枠体部２０の取り付けも容易である。
【００６９】
図２８に示すように、保護フィルタ部４５は、フィルタ支持枠４６と、支骨４７を縦横に設けた格子と、保持つめ４８と、保護通気フィルタ４９，保持突起１０１を有する。
【００７０】
フィルタ支持枠４６と別体の保護通気フィルタ４９は、支骨４７と、保持つめ４８とによりフィルタ支持枠４６に保持される。
【００７１】
保護通気フィルタ４９は、通気目が集塵袋７より粗く、フィルタ支持枠４６の格子目よりも細やかで、可撓性を有する。フィルタ支持枠４６の格子に添え当てた保護通気フィルタ４９は、周縁を保持つめ４８のところに差し込む。こうして、保護通気フィルタ４９は、フィルタ支持枠４６に保持される。
【００７２】
除塵枠体部２０は、図２６に示すように、下側に差込溝５０を有する。この差込溝５０は図２３に示す保護フィルタ部４５のフィルタ支持枠４６の外周下側に配置される保持突起１０１が嵌め込まれる。
【００７３】
保護フィルタ部４５が取り付け，取り外しができるので、移動部材２００のメンテナンスに際しては、保護フィルタ部４５を取り外すことで、保護通気フィルタ４９をお手入れできる。保護フィルタ部４５が着いていない合成樹脂製の除塵枠体部２０は撓みやすく、除塵枠体部２０の着脱が容易である。
【００７４】
この保護フィルタ部４５は、内部流通口３４上流側に位置する。集塵袋７が破れても、保護フィルタ部４５により、塵埃が内部流通口３４を通って電動送風機８に吸い込まれるのを防止できる。
【００７５】
保護通気フィルタ４９は、空気流の下流側面の周縁が保持つめ４８で保持され、それに加え、移動ベース部材２０１の下流側枠体と中間仕切壁２１に隣接される縦格子リブ３５で抑えられるので、保護通気フィルタ４９が除塵枠体部２０及び保護フィルタ４５から脱落する不具合は生じない。
【００７６】
保護フィルタ部４５は、図２８に示すように、フィルタ支持枠４６の上部の側端に突き出す取っ手５１を有する。保護フィルタ部４５の取り付け，取り外しでは、取っ手５１を掴んで行う。
【００７７】
集塵室３の内底部は、図３に示すように、隆起している。掃除機本体１の前側下面にキャスター５２を取り付ける窪みを設けるために隆起させた。この隆起に合うように底部移動部材２０２の中央を隆起させ、かつ強度を高めた。これにより、底部移動部材２０２と集塵室３の内定部間にできる無駄な空間は少なく、集塵室３内で集塵袋７がより大きく膨らみ、集塵量の増加を図ることができる。
【００７８】
次に除塵駆動伝達ユニット１１の関連について説明する。除塵駆動伝達ユニット１１は、図３０に示すように、支持フレーム７３を有する。支持フレーム７３は、矩形の枠体部５３と、枠体部５３の片側を塞ぐ底板部５４と、枠体部５３の短辺側に底板部５４の反対側に向かって立つ二つの回転体支持板５５を有する。
【００７９】
二つの回転体支持板５５の周端縁と、枠体部５３の長辺側端縁には、気密シール５６が設けられる。この気密シール５６は、図３１に示すように、連なった環に形成されている。連なった環の気密シール５６は、つなぎ合わせの隙間がないので、シール性が高まり、かつ気密シールが変形し、確実な気密を確保することができる。
【００８０】
気密シール５６は、枠体部５３と一体に合成樹脂で成型される。気密シール５６は、シール機能を有するように枠体部５３よりも軟質な合成樹脂で成型される。成型用の金型で成型された枠体部５３を別の金型に移し、軟質の合成樹脂を注入することにより、枠体部５３と気密シール５６は一体に成型される。
【００８１】
気密シール５６は、枠体部７３と分離して、ばらばらになることが生じないので、組立ての際の取り扱い性が向上する。また、気密シール５６は軟質の合成樹脂で形成されるので、シール性が向上する。
【００８２】
除塵駆動伝達ユニット１１の除塵回転体１２は、二つの回転体支持板５５に回転自在に支持される。除塵回転体１２は、図３２に示すように、両端側に支軸７４Ａ，７６Ｂを有する。
【００８３】
伝達歯車１３は、除塵回転体１２の一方の端部側に設けられる。伝達歯車１３の軸部５７を除塵回転体１２の一方の端部側にネジ等で締結して固定する。伝達歯車１３は除塵回転体１２の端部から離間したところに位置する。
【００８４】
除塵回転体１２内には、一方向の回転が伝達され、他方向の回転が伝達されない、いわゆる一方向回転伝達クラッチ５８が備わる。コードリール９の駆動歯車１４、および伝達歯車１３を介してコードリール９の回転は、除塵回転体１２に伝達される。
【００８５】
コードを引き出すときには除塵回転体１２は回されるが、コードを巻き取るときには除塵回転体１２は回されない。こうすることにより、コードリール９の巻取りバネを小型化でき、しかもコードの引き出しが軽くなる。
【００８６】
支持フレーム７３の二つの回転体支持板５５は、除塵回転体１２の支軸７４Ａ，７４Ｂを回転自在に支持する軸受５９Ａ，５９Ｂを有する。伝達歯車１３が設けられる支軸７４Ｂを回転自在に支持する方の軸受５９Ｂは、貫通するように形成される。
【００８７】
伝達歯車１３が設けられない方の支軸７４Ａを支持する軸受５９Ａは、奥側が塞がるように形成される。軸受５９Ａは、奥側が塞がっているので、軸受５９Ａから回転体支持板５５の外側に空気は漏れない。
【００８８】
しかし、軸受５９Ｂは貫通しているので、回転体支持板５５の外側に空気は漏れる。そこで、回転体支持板５５の外面側に、軸受５９Ｂと支軸７４Ｂの隙間を封じる軸シール６０を設けた。この軸シール６０により、軸受５９Ｂを通じて回転体支持板５５の外側に漏れる空気漏洩は阻止される。
【００８９】
図２１に示すように、掃除機本体１は底面に除塵駆動伝達ユニット１１が装着される装着開口部６１を有する。この装着開口部６１には、除塵駆動伝達ユニット１１が外側から着脱自在に装着される。
【００９０】
このように、支持フレーム７３に除塵回転体１２，伝達歯車１３をまとめてユニット化し、ユニットになった除塵駆動伝達ユニット１１を掃除機本体１の装着開口部６１に取り付けるので、組立てが容易に行われる。
【００９１】
装着開口部６１は、除塵回転体１２や支持フレーム７３が置かれるところには窪み部６２が形成され、伝達歯車１３が置かれるところには後部室（コードリール９，電動送風機８が置かれる）側に臨む開口が形成されている。
【００９２】
窪み部６２は、図３３に示すように、奥側に除塵用開口６３を有する。この除塵用開口６３は、集塵室３内に置かれる移動ベース部材２０１の下端側に臨んでいる。
【００９３】
また、窪み部６２は、伝達歯車１３が位置する方の側面側に伝達開口６４を有する。この伝達開口６４を介して窪み部６２は、後部室側と連通している。
【００９４】
装着開口部６１に装着された除塵駆動伝達ユニット１１の除塵回転体１２は、外周側の除塵バネ３１が除塵用開口６３から集塵室３に突き出し、移動ベース部材２０１の下端側（円弧面の当接部）に当接する。伝達歯車１３は、コードリール９の駆動歯車１３に噛み合わされる。伝達歯車１３の軸部５７は、伝達開口６４に置かれる。
【００９５】
窪み部６２は、図３３，図３４に示すように、窪み部６２の底に近い低位置段部６５と、底から離れた高位置段部６６とを有する。また、窪み部６２は、長手方向の端側に接合突起６７，６８を有する。
【００９６】
窪み部６２の低位置段部６５には、気密シール５６の辺５６Ｂが当接する。窪み部６２の高位置段部６６には、気密シール５６の辺５６Ａが当接する。接合突起６８には、気密シール５６の辺５６Ｃが当接する。接合突起６７には、気密シール５６の辺５６Ｄが当接する。
【００９７】
これらの当接による気密シール５６のシールにより、除塵用開口６３を通じ、集塵室３と掃除機本体１の外側間で空気が流通するのは断たれる。このため、装着開口部６１を通じて集塵室３と掃除機本体１の外側間で空気が流れる空気漏れは生じない。
【００９８】
また、気密シール５６は、窪み部６２が伝達開口６４を介して後部室（コードリール９，電動送風機８が置かれる）に連通するところのシールを併せてしている。このため、集塵室３と後部室の間も空気の流通は断たれ、空気漏れは生じない。
【００９９】
図３４の（ａ）は、電気掃除機本体の装着開口部６１に装着されている除塵駆動伝達ユニットを横方向に断面したところを示している。
【０１００】
図３４の（ｂ）は、除塵駆動伝達ユニット１１を装着開口部６１から外したところを示している。窪み部６２の底に除塵用開口６３が見える。また、接合突起６７，６８は、図示されていないが、二つの回転体支持板５５のところに位置する。
【０１０１】
窪み部６２に内側面に突出するように設けられた接合突起６７，６８は、幅が気密シール５６の幅よりも狭い。接合突起６７，６８に押圧された気密シール５６を押し付けることにより、接合突起６７，６８が気密シール５６に食い込み気密が向上する。
【０１０２】
除塵駆動伝達ユニット１１は、掃除機本体１に設けたねじボス６９，７０にねじ込むネジにより締め付け固定される。除塵駆動伝達ユニット１１に設けたネジ通穴７１，７２は、二つの回転体支持板５５の外側に設けた。
【０１０３】
二つの回転体支持板５５の内側にネジ通穴を設けると、ネジ通穴にも気密を施さなければならない。ネジ通穴を二つの回転体支持板５５の外側に設けることにより、気密を施す必要がなく、構成が簡単になる。
【０１０４】
次に本発明における第５の実施の形態を図３，図４０を用いて説明する。移動部材２００は電動送風機８の上流側に位置し、通気性のある板若しくは格子形状を形成し、吸込口６００から吸入された塵埃を含んだ空気を通気性のある移動部材２００を通過して電動送風機８に吸引される。
【０１０５】
そこに移動部材２００と一体若しくは別体で着脱自在に通気性を有した布，不織布（メルトブローン，ＰＴＦＥ膜，ゴアテックス等の通気性を有する化学繊維）、ウレタン（スポンジ）等のフィルタ部材３５０を配置させることによって、捕塵効率を向上させるのと同時に、集塵袋７で捕集できなかった細かな塵埃や、誤って集塵室内にこぼれ落ちた砂塵、綿ごみ等の様々な塵埃を捕集し、電気掃除機本体１を運転した際に塵埃が電動送風機８に侵入にて故障するのを防ぐ役目をする。
【０１０６】
また、フィルタ部材３５０に光触媒等の消臭効果を持った触媒を、繊維に練りこみ若しくは、含浸又は塗布することで、集塵袋７に捕集された塵埃を通ったアンモニア等のいやな臭いを含んだ空気を消臭して電動送風機８を通って本体１の外へ排出されるため、使用者が掃除中の排気から出る臭いを気にすることなく掃除をすることができる。
【０１０７】
次に本発明における第６の実施の形態を図１４，図４１〜図４３を用いて説明する。
【０１０８】
次に集塵室の気密保持に関して説明する。図１４に示すように集塵室３を覆うように蓋体５が上部ケース１３０の軸受１３１に開閉自在に支持され、気密部材１０を介して気密を保持するように取り付けられている。
【０１０９】
図４１〜図４３を用いて以下説明すると、気密部材１０は複数の突起部１００と該突起部と一体に形成された緩衝部１１０とから構成されており、第一の突起部１００ａは集塵室３の外周部に形成された垂直方向に立ち上がった第一の隔壁１０３ａと第二の隔壁１０３ｂによって構成される第一の溝部１０２ａに気密に挿入される。
【０１１０】
つまり第一の隔壁１０３ａが形成する溝側側面と第二の隔壁１０３ｂが形成する溝側側面に気密部材１０の第一の突起部１００ａがテーパー嵌合され、気密部材１０の第一の突起部１００ａを押し込むことによって気密が確保される。
【０１１１】
気密部材１０は弾性体を用いるのが望ましく、硬度を下げるほど（柔らかくする）気密保持されやすくなる。
【０１１２】
また第二の突起部１００ｂは第二の隔壁１０３ｂと第三の隔壁１０３ｃによって構成される第二の溝部１０２ｂに挿入され、第一の突起部１００ａと第二の突起部１００ｂが第二の隔壁１０３ｂを挟み込むように嵌合され、これにより、気密部材１０と集塵室３の気密は隔壁による溝部１０２と気密部材１０の複数の突起により二重に気密が保持される。
【０１１３】
第一の突起部１００ａと第一の溝部１０２ａがテーパー嵌合にて気密を保持しているため、それを更に、第二の隔壁１０３ｂを第一の突起部１００ａと第二の突起部１００ｂで挟み込むことによって、仮に第一の突起部１００ａと第一の溝部１０２ａのテーパー嵌合による気密もれが発生した場合でも、第二の隔壁１０３ｂを第一の突起部１００ａと第二の突起部１００ｂで気密に挟みこんでいるので、二重のシール効果が得られる。
【０１１４】
また、第二の隔壁１０３ｂと第三の隔壁１０３ｃによって形成される第二の溝部１０２ｂへ第二の突起部１００ｂをテーパー嵌合にて気密を保持することにより、更に高い気密保持効果が得られる。
【０１１５】
更に、隔壁の数を第４，第５と増やし、隔壁間に構成される溝部の数を増やし、それに伴い、気密部材１０の形成する複数の突起部１００の数を増やし、上述したような嵌合関係の構成を増やすことにより、更に集塵室３と気密部材１０の気密性を向上させることができる。
【０１１６】
また、気密部材１０の複数の突起部１００と一体に緩衝部１１０が形成され、集塵室３の最も外側に位置する隔壁（本図中では第三の隔壁１０３ｃ）を覆うように配置され、外部からの衝撃に対して本体を保護し、また家庭の家具や建物を保護する役割を果たしている。
【０１１７】
さらに、緩衝部１１０の他端１０６は集塵室３の隔壁により構成される溝部１０２と気密部材１０のテーパー嵌合により気密を保持している部分を、別部品を用いることなく確実に固定するために、集塵室３の外周部に垂直方向に係止突起１０７を設け、これと係合させるために気密部材１０に係合突起１０６を設けている。
【０１１８】
係止突起１０７は集塵室３の外周に沿って連続的な隔壁を構成する場合と断続的な突起を均等若しくは不均一に配置させることにより、気密部材１０を確実に固定する。
【０１１９】
係止突起１０７は連続的に形成される隔壁と集塵室３に対して断続的に垂直方向に形成される隔壁とを合せる事により、更に気密部材１０の係合性を高めることができる。
【０１２０】
また、気密部材１０の係合突起１０６は緩衝部１１０の端面に形成され、気密部材１０の複数の突起部１００に略対向するように形成され、連続的若しくは不連続に係合突起１０６が形成され、隔壁１０３から気密部材１０が外部からの衝撃及び使用者の偶発的操作から緩衝部１１０が剥離するのを防止し、気密を保持する。
【０１２１】
集塵室３の最も外側に位置する隔壁（本図中では第三の隔壁１０３ｃ）は内側に第二の突起部１００ｂを嵌合させ、係止突起１０７と係合突起１０６を嵌合させた際に、緩衝部１１０及び気密部材１０自体が集塵室３から外れて気密漏れを生じるのを、かぎ型構造を形成し防止している。本体運転中は、集塵室３内部が負圧になるので蓋体５の気密リブ１０８が気密部材を押し付ける方向に働き、集塵室３と蓋体５を気密に保つことができる。
【０１２２】
また、運転中は気密部材１０の複数の突起部１００は溝部１０２により押し付けられる方向に働き気密が取れるのと同時に、外れも防止することができる。集塵室３内の気密を取りやすくするために、気密部材１０の蓋体５の気密リブ１０８と接する部分をリップ形状１０５とすることで集塵室３が負圧となった時により気密がとれる。気密部材の材質をより柔らかい弾性部材とすることで、更に気密が取れやすくなる。前述の前提条件として、蓋体５の気密リブ１０８と気密部材１０のリップ形状１０５は均一に干渉または接している必要がある。リップ形状１０５の端面は蓋体５の外周端面１０９の肉厚より内側であることが望ましい。
【０１２３】
蓋体５の外周端面１０９の肉厚より内側であれば外観的にも美しく、また本体運転時に、集塵室３が負圧になることよる、蓋体５の集塵室側への沈み込みによって、リップ形状１０５が蓋体５の気密リブ１０８によって押される際に、蓋体５の外周端面１０９よりもリップ形状１０５の端面が出ている場合、美観を損ねるばかりではなく、集塵室３内の気密を取るための気密リブ１０８が気密部材１０のリップ形状１０５を押し付けて気密をとる前に、蓋体５の外周端面１０９がリップ形状１０５を押してしまい、その部分から気密が漏れてしまう可能性がある。
【０１２４】
このため、リップ形状１０５の端面を蓋体５の外周端面１０９の肉厚よりも内側に形成するか若しくは、蓋体５の気密リブ１０８と外周端面１０９の縁面距離を十分に取って、外周端面１０９にリップ形状１０５が押されない位置に構成する必要がある。
【０１２５】
次に集塵袋７（紙パック）又は集塵ケース（図示せず）の着脱に関して説明する。集塵室３に内置した集塵袋（紙パック）７及び集塵ケース（図示せず）の取り出し性を考慮し、特に集塵ケースタイプの場合には、頻繁にごみすて作業をする可能性があるので、気密部材１０の内側面１１１が集塵室３の第一の隔壁１０３ａの内側面１１２と同一面若しくは、それよりも外側に位置させることによって、摩擦抵抗の大きい気密部材１０（弾性部材）に直接集塵袋（紙パック）７若しくは集塵ケース（図示せず）を触れさせること無く、また、気密部材１０の内側への出ばりによって内側へ押さえつけられることなく着脱作業をすることができるので、軽い力での集塵袋（紙パック）７及び集塵ケース（図示せず）の着脱が可能となり、ごみを捨てやすくすることができる。
【０１２６】
集塵室３の内壁１０３と気密部材１０が面一の構造によって、より一層集塵袋７の取り出し性が向上し、ごみ捨て時（使い捨て集塵袋７の取り出し時）に集塵室３の開口方向に向かって移動する移動部材２００がより効果的に作用し、使用者への負荷を最小限に抑えることができる。
【０１２７】
次に本発明における第７の実施の形態を図４４，図４５を用いて説明する。移動部材２００と移動ベース部材２０１は移動部材２００の係合突起２０４が移動ベース部材２０１の係合穴２０６に係合することにより、移動自在に配設されている。移動部材２００の係合突起２０４が図４４のように半球であった場合、移動ベース部材２０１の係合穴２０６は図４１の様に長円等で構成し、容易に移動できるものとする。その際、開口方向に向かってある一定以上移動して停止し、開口方向の移動を抑制するのと同時に、開口方向の力が開放された際には（使用者が塵埃の詰まった集塵袋７を集塵室３外に取り去った後に）図４５の様に自重若しくは引っ張りばね等の可動手段によって移動前の位置にもどる。これにより、集塵袋７を取り出して、再度新しい集塵袋７（使いすて式の袋状フィルタ）を集塵室３のフィルタガイド７３にセットする際に、装着し易く、また、次回掃除をして集塵袋７を取り出す際に移動部材２００の効果を十分に発揮させることができる。
【０１２８】
次に本発明における第８の実施の形態を図４６を用いて説明する。
【０１２９】
移動部材２００は集塵室３の開口方向への荷重に対しては塵埃でいっぱいになった集塵袋７を引き出す程度の荷重には十分耐えうることができる。ただし、開口方向以外の荷重ではこの限りではなく、ホース差込口４に傾斜させるように可動すると使用者が簡単に取り外す事ができ、移動部材２００と一体若しくは別体で構成されたフィルタ部材３５０に付着した汚れを水洗い等で取り除くこともでき、また集塵室３の底部に溜まった砂塵を含む細かな塵埃も底部移動部材２０２も同時に外す事によって簡単に取り除くことができる。
【０１３０】
次に本発明における第９の実施の形態を説明する。
【０１３１】
移動部材２００において材質は潤滑性の用、ＰＯＭやジュラコン，ナイロン等の高摺動性の材料により構成されることによって、移動する際の摩擦抵抗が小さく抑えられる。移動部材の形状構成上、ＰＯＭやジュラコン，ナイロン等の高摺動性の材料が使用できない場合には、移動部材と摺動する面を持つ部品の材料を高摺動性の材料とすることで摩擦の低減が図れ、メカニカルロスの低減により使用者の負荷を減らすことができる。
【０１３２】
次に本発明における第１０の実施の形態を図４６を用いて説明する。
【０１３３】
移動部材外郭に構成される係合突起２０４は移動方向に対して略同一方向に外郭左右略対称的に複数又は連続した突起部を少なくとも１つ以上設けることにより、移動部材を集塵室３の開口側に引き出された際に、略平行にバランスよく引き出すことができる。
また、集塵室３の開口側への荷重を取り去った際に、略対称的に複数又は連続した突起部２０４を構成することにより、移動前の位置に引き出す軌道と同じ軌道で戻ることができることにより、故障の少ないスムーズな動きとなる。移動前後の軌道が同一であることから多少の砂塵や細かい塵埃が摺動部若しくは係合部にかみこむことがあっても問題なく移動部材２００を動作させることができる。
【図面の簡単な説明】
【０１３４】
【図１】本発明の一実施例に係る蓋体５が開かれた状態における掃除機本体１の外観斜視図である。
【図２】本発明の一実施例に係る電気掃除機全体を示す外観斜視図である。
【図３】本発明の一実施例に係る掃除機本体の中央断面図である。
【図４】集塵室３内から電動送風機８側に向かって見た移動部材の部分断面図である。
【図５】本発明の一実施例に係る集塵室リブ形状部分斜視図である。
【図６】本発明の一実施例に係る電気掃除機本体の中央断面図である。
【図７】本発明の一実施例に係るクランプ付近の中央断面図である。
【図８】本発明の一実施例に係る移動部材の中央断面図である。
【図９】本発明の一実施例に係る移動部材の中央断面図である。
【図１０】本発明の一実施例に係る移動部材の斜視図である。
【図１１】本発明の一実施例に係る移動部材の動作の外視図である。
【図１２】本発明の一実施例に係る一体と別体の移動部材の簡略図である。
【図１３】本発明の他の実施例に係る移動部材の動作の外視図である。
【図１４】本発明の他の実施例に係る電気掃除機本体の斜視図である
【図１５】本発明の他の実施例に係る除塵部材への動力伝達を示す図である。
【図１６】本発明の他の実施例に係る除塵駆動伝達ユニットの取り付けを示した斜視図である。
【図１７】本発明の他の実施例に係る上部横置除塵体の斜視図である。
【図１８】本発明の他の実施例に係る移動ベース部材の斜視図である。
【図１９】本発明の他の実施例に係る底部移動部材の斜視図である。
【図２０】本発明の他の実施例に係り、開かれた除塵部材と折り畳まれた移動部材を側面から見たところを示す図である。
【図２１】本発明の他の実施例に係る下ケースを側面から見た図である。
【図２２】本発明の他の実施例に係るリブ３１０を拡大した図である。
【図２３】本発明の他の実施例に係る除塵駆動伝達ユニットと電動機との組みつけを示した図である。
【図２４】本発明の他の実施例に係る上部除塵部材を前から見た断面図である。
【図２５】本発明の他の実施例に係る移動部材の斜視図である。
【図２６】本発明の他の実施例に係る移動部材を背面から見た斜視図である。
【図２７】本発明の他の実施例に係る移動ベース部材のバネ取付け部の部分断面図である。
【図２８】本発明の他の実施例に係る移動部材を示した斜視図である。
【図２９】本発明の他の実施例に係る移動ベース部材と移動部材を横方向に断面した              一部拡大図である。
【図３０】本発明の他の実施例に係る除塵回転体を除いた除塵駆動伝達ユニットを示す図である。
【図３１】本発明の他の実施例に係る気密シールを示す図である。
【図３２】本発明の他の実施例に係る除塵駆動伝達ユニットの断面図である。
【図３３】本発明の一実施例に係る除塵用開口を示した図である。
【図３４】本発明の他の実施例に係る除塵駆動伝達ユニットが電気掃除機本体に装着されているところを断面した図と、除塵駆動伝達ユニットが外された電気掃除機本体の装着開口部を正面から見た図である。
【図３５】本発明の他の実施例に係る動力分岐機構を示す図である。
【図３６】本発明の他の実施例に係る動力分岐機構を示す図である。
【図３７】本発明の他の実施例に係る動力分岐機構を示す図である。
【図３８】本発明の他の実施例に係る上部除塵部材を横から見た断面図である。
【図３９】本発明の他の実施例に係る上部横置除塵体補助部の斜視図及び部分断面図である。
【図４０】本発明の他の実施例に係る中央断面図である。
【図４１】本発明の他の実施例に係る気密部材の断面図である。
【図４２】本発明の他の実施例に係る集塵室の断面図である。
【図４３】本発明の他の実施例に係る電気掃除機本体の気密部材付近の横断面図と部分拡大図である。
【図４４】本発明の他の実施例に係るリブの拡大斜視図である。
【図４５】本発明の他の実施例に係る側面図である。
【図４６】本発明の他の実施例に係る移動部材の側面図である。
【符号の説明】
【０１３５】
１  掃除機本体
２００  移動部材
２０１  移動ベース部材
２０２  底部移動部材
３１０  リブ
４００  ホース体
５００  接続管
６００  吸口体
【図１】
0005075738.tif 000002
【図２】
0005075738.tif 000003
【図３】
0005075738.tif 000004
【図４】
0005075738.tif 000005
【図５】
0005075738.tif 000006
【図６】
0005075738.tif 000007
【図７】
0005075738.tif 000008
【図８】
0005075738.tif 000009
【図９】
0005075738.tif 000010
【図１０】
0005075738.tif 000011
【図１１】
0005075738.tif 000012
【図１２】
0005075738.tif 000013
【図１３】
0005075738.tif 000014
【図１４】
0005075738.tif 000015
【図１５】
0005075738.tif 000016
【図１６】
0005075738.tif 000017
【図１７】
0005075738.tif 000018
【図１８】
0005075738.tif 000019
【図１９】
0005075738.tif 000020
【図２０】
0005075738.tif 000021
【図２１】
0005075738.tif 000022
【図２２】
0005075738.tif 000023
【図２３】
0005075738.tif 000024
【図２４】
0005075738.tif 000025
【図２５】
0005075738.tif 000026
【図２６】
0005075738.tif 000027
【図２７】
0005075738.tif 000028
【図２８】
0005075738.tif 000029
【図２９】
0005075738.tif 000030
【図３０】
0005075738.tif 000031
【図３１】
0005075738.tif 000032
【図３２】
0005075738.tif 000033
【図３３】
0005075738.tif 000034
【図３４】
0005075738.tif 000035
【図３５】
0005075738.tif 000036
【図３６】
0005075738.tif 000037
【図３７】
0005075738.tif 000038
【図３８】
0005075738.tif 000039
【図３９】
0005075738.tif 000040
【図４０】
0005075738.tif 000041
【図４１】
0005075738.tif 000042
【図４２】
0005075738.tif 000043
【図４３】
0005075738.tif 000044
【図４４】
0005075738.tif 000045
【図４５】
0005075738.tif 000046
【図４６】
0005075738.tif 000047